(57)【要約】【課題】個人で簡単に使用することができ、まぶたの丸味に適合させて適宜に湾曲させながら容易かつ能率良くまつ毛をカールできる電熱式のまつ毛カーラーを提供する。【解決手段】電池１２およびスイッチ１４を有する略筒状の握り部１０と、この握り部１０の一端から握り部１０の長手方向に突出したブラシ保持部１６と、このブラシ保持部１６の先端に取付けられ外周に多数の略刺状の突起２６が形成された柔軟な樹脂製の筒状ブラシ部２４と、筒状ブラシ部２４内に挿入され曲げ方向に塑性変形可能でありかつスイッチ１４および電池１２に接続された発熱体３６と、を備える。【選択図】図１
2008237371.tif 000002
【特許請求の範囲】
【請求項１】
電池およびスイッチを有する略筒状の握り部と、
この握り部の一端から握り部の長手方向に突出したブラシ保持部と、
このブラシ保持部の先端に取付けられ外周に多数の略刺状の突起が形成された柔軟な樹脂製の筒状ブラシ部と、
前記筒状ブラシ部内に挿入され曲げ方向に塑性変形可能でありかつ前記スイッチおよび電池に接続された発熱体と、
を備えることを特徴とするまつ毛カーラー。
【請求項２】
発熱体はコイル状のニクロム線である請求項１のまつ毛カーラー。
【請求項３】
ブラシ部には、その中心線を挟んで長手方向に２列に並ぶ多数の切込みが形成されている請求項１または２のまつ毛カーラー。
【請求項４】
切込みはブラシ部の壁を貫通している請求項３のまつ毛カーラー。
【発明の詳細な説明】
【技術分野】
【０００１】
この発明は、まつ毛をカールさせるための電熱式のブラシを持つまつ毛カーラーに関するものである。
【背景技術】
【０００２】
まつ毛を美しくカールさせる美容器具が従来より種々提案されている。まつ毛をパーマ処理する方法（特許文献１）と、加熱したブラシをまつ毛に当ててカールする方法（特許文献２）とがある。
【０００３】
【特許文献１】実用新案登録第３０６６４６３号
【特許文献２】特開平１１−５６４４４
【０００４】
特許文献１に示された方法は、まぶたの上にロッドを接着固定し、まつ毛をこのロッドに沿わせて固定し、まつ毛に軟化剤、固定剤をつけてまつ毛をカールさせ形状を保持するものである。ここに用いるロッドの内部に可塑性のワイヤを組込むことにより、まぶたの丸味や目の大きさやまつげの長さに合わせてカーブさせ、望み通りのカールを作れるようにするものである。なおここにはロッドをヒータで加熱することは示されていない。
【０００５】
特許文献２に示されたものは、櫛歯付きのブラシ部を熱源手段により加熱し、ブラシ部をまつ毛に沿わせて移動させることによりまつ毛をカールするものである。ここに加熱手段の一例として、ブラシ部内に入れたニクロム線（５０）と被覆層（５１）で形成したものが示されている（図４、段落００３５）。また上まぶたの下縁に沿わせて湾曲させたブラシ部（１５１）を把持部にさし替えて用いることが示されている（図１２、段落００６１〜００６４）。
【発明の開示】
【発明が解決しようとする課題】
【０００６】
特許文献１の方法は薬液を用いるパーマの一種であり、個人が手軽に用いることはできない、という問題がある。特許文献２に示されたまつ毛用化粧具は、ニクロム線、ガス燃焼熱、温水などの熱をブラシ部の櫛歯に伝えるものであるが、ブラシ部は直線状のものであったり、湾曲したブラシ部を付け替えるものである。この場合、ブラシ部を複数用意しておく必要が生じ、交換作業が面倒でもある。
【０００７】
この発明はこのような事情に鑑みなされたものであり、個人で簡単に使用することができ、まぶたの丸味に適合させて適宜に湾曲させながら容易かつ能率良くまつ毛をカールさせることが可能な電熱式のまつ毛カーラーを提供することを目的とする。
【課題を解決するための手段】
【０００８】
この発明によればこの目的は、電池およびスイッチを有する略筒状の握り部と、この握り部の一端から握り部の長手方向に突出したブラシ保持部と、このブラシ保持部の先端に取付けられ外周に多数の略刺状の突起が形成された柔軟な樹脂製の筒状ブラシ部と、前記筒状ブラシ部内に挿入され曲げ方向に塑性変形可能でありかつ前記スイッチおよび電池に接続された発熱体と、を備えることを特徴とするまつ毛カーラー、により達成される。
【発明の効果】
【０００９】
筒状ブラシ部は柔軟な樹脂製であり、この内部に曲げ方向に塑性変形可能な発熱体を挿入し、この発熱体を電池の電力によって発熱させるものであるから、筒状ブラシ部を湾曲させれば内部の発熱体も同時に湾曲し、この発熱体が湾曲状態を保持する。このため使用者は自分のまぶたの丸味に合わせて筒状ブラシ部を湾曲させることができる。使用者はこの状態でスイッチをオンにし発熱体を加熱してから、筒状ブラシ部をまつ毛に沿わせて上下に移動させることにより、筒状ブラシ部の多数の突起でまつ毛を捕らえながら、能率良くカール処理することができる。
【実施例１】
【００１０】
図１は本発明の一実施例の正面図（Ａ）とその内部構造を示す図（Ｂ）、図２は筒状ブラシ部の拡大正面図（Ａ）と右側面図（Ｂ）と図２（Ａ）におけるＣ−Ｃ線断面図（Ｃ）である。図３は図１（Ｂ）の一部拡大断面図、図４は図３におけるIV-IV線断面図、図５は図４におけるＶ−Ｖ線断面図、図６は発熱体の概念図である。
【００１１】
図１において符号１０は一端が閉じた円筒状の握り部であり、使用者がペンを指先に保持するように握れる太さ（例えば直径約１．５ｃｍ）である。この握り部１０の内部には電池（単４型）１２が収納されている。１４はスイッチである。握り部１０の上端にはブラシ保持部１６が固定されている。このブラシ保持部１６は、下端が握り部１０の上端開口を閉じる栓部１８となり、この栓部１８の上面中心から握り部１０の長手方向にのびる小径の筒部２０となっている。このブラシ保持部１６内にはその中心軸に沿って上下両端に開く配線孔２２が形成されている。
【００１２】
２４は筒状ブラシ部である。この筒状ブラシ部２４は耐熱性の柔軟な樹脂で作られ、その外周には多数の突起２６がほぼ刺状に一体成形されている。なお刺状の突起２６は十分に細く柔軟性に富む。筒状ブラシ部２４には図２（Ａ）に示すように、その中心線２８を挟んで対称に位置し長手方向に２列に並ぶ多数の切込み３０が形成されている。
【００１３】
この切込み３０は筒状ブラシ部２４の湾曲を容易にするためのものであり、筒状ブラシ部２４の外周面に広く開き、この開口は幅方向（筒状ブラシ部２４の長手方向に直交する方向）へ長い略ダ円形（図２（Ｂ）参照）となっている。図３の仮想線は筒状ブラシ部２４の湾曲位置を示す。なおこの実施例では、この切込み３０は筒状ブラシ部２４の壁（筒を形成する壁）を貫通して筒の内部に連通している。すなわち穴となっている。筒状ブラシ部２４の上端は閉じ、下端は開いている。
【００１４】
筒状ブラシ部２４の下部外周には温度センサ３２が貼られ、このセンサ３２の下方が前記ブラシ保持部１６の筒部２０に挿入される挿入部３４となっている。ここに温度センサ３２は液晶の感熱効果（液晶サーモグラフィ）を利用したテープ状のものであり、温度変化により反射光の色彩が変わるものである。従ってこの色彩を確認することによって筒状ブラシ部２４の温度を知ることができる。
【００１５】
３６は塑性変形可能な発熱体である。発熱体３６は図６に示すように、コイル状のニクロム線３８の一端（上端）を折り返し、この折り返した直線部分を耐熱性絶縁チューブ４０で被覆したものである。
【００１６】
この発熱体３６は筒状ブラシ部２４に挿入される。実際には、まず発熱体３６のニクロム線３８の両端を揃えてブラシ保持部１６の筒部２０の上端から配線孔２２に挿入し、握り部１０内のスイッチ１４および電池１２に接続する。その後筒状ブラシ部２４を発熱体３６に被せながら装着し、その挿入部３４をブラシ保持部１６の筒部２０に圧入し固定するものである。この結果スイッチ１４をオンにすることによって電池１２から発熱体３６に電流を流し発熱させることができる。また筒状ブラシ部２４の温度は温度センサ３２の色変化から知ることができる。
【００１７】
次に図７を用いて使い方の一例を説明する。スイッチ１４をオンにし、温度センサ３２の色により発熱体３６の温度を確認する一方、筒状ブラシ部２４を使用者のまぶたの丸味やまつ毛の並びや好みに合わせて湾曲させる。この時発熱体３６はニクロム線３８をコイル状に巻いたもので、曲げた状態を維持する性質、すなわち塑性変形可能な性質を持つから、筒状ブラシ部２４は湾曲された状態を保持する。なお筒状ブラシ部２４は切込み３０を内径側または外径側にすることによって軽く容易に湾曲することができる。
【００１８】
上のまつ毛４２をカールする時には図７（Ａ）に示すように、筒状ブラシ部２４をまつ毛４２に下側から当て、まつ毛４２を刺状の突起２６の間に案内させて上向きに導く。図７（Ｂ）に示すように、湾曲した筒状ブラシ部２４の内径側の切込み（穴）３０をまつ毛４２に対向させることにより、発熱体３６で加熱された空気が切込み（穴）３０からまつ毛４２に良く当てることができる。従ってまつ毛４２のカールを能率良く短時間で行うことができる。
【００１９】
同様に下のまつ毛４４をカールする時には、図７（Ｃ）に示すように、湾曲させた筒状ブラシ部２４をまつ毛４４に上から接触させ下方に向かって移動させればよい。この時にも筒状ブラシ部２４をまつ毛４４の生え際の湾曲に沿わせて湾曲しておけば、切込み（穴）３０がまつ毛４４に向かって開口することになってまつ毛４４のカールを能率良く行うことができる。
【図面の簡単な説明】
【００２０】
【図１】本発明の一実施例を示す正面図（Ａ）と内部構造を示す図（Ｂ）
【図２】筒状ブラシ部の拡大正面図（Ａ）と右側面図（Ｂ）とＣ−Ｃ線断面図（Ｃ）
【図３】図１（Ｂ）の一部拡大断面図
【図４】図３におけるIV-IV線断面図
【図５】図４におけるＶ−Ｖ線断面図
【図６】発熱体の概念図
【図７】使用方法の説明図
【符号の説明】
【００２１】
１０  握り部
１２  電池
１４  スイッチ
１６  ブラシ保持部
２４  筒状ブラシ部
２６  突起
２８  中心線
３０  切込み（穴）
３２  温度センサ
３６  発熱体
３８  ニクロム線
４２  上まつ毛
４４  下まつ毛
【図１】
2008237371.tif 000003
【図２】
2008237371.tif 000004
【図３】
2008237371.tif 000005
【図４】
2008237371.tif 000006
【図５】
2008237371.tif 000007
【図６】
2008237371.tif 000008
【図７】
2008237371.tif 000009